(57)【要約】  表面を被覆するためのスラブ製品（Ｐ）を敷設するレベリング・スペーサ・デバイス（１０）が提供され、デバイス（１０）は、側面配置方向（Ａ）に対して側面を接する少なくとも２つの隣接スラブ製品（Ｐ）の敷設表面の裏側に位置決め可能な基部（２０）と、基部（２０）から突出するセパレータ部材（３０）とを備え、少なくともセパレータ部材（３０）は、２つのスラブ製品（Ｐ）の対向側面に接触することが可能であり、基部（２０）に対して実質上平行に位置する保管位置と、基部（２０）に実質上直交して突出する作業位置との間を可動であり、デバイスの特異性は、作業位置にあるセパレータ部材（３０）の阻止手段（２５０，３１１）を備えることからなる。
2016523321.tif 000002
【特許請求の範囲】
【請求項１】
表面を被覆するためのスラブ製品（Ｐ）を敷設するレベリング・スペーサ・デバイス（１０）は、側面配置方向（Ａ）に対して側面を接する少なくとも２つの隣接スラブ製品（Ｐ）の敷設表面の裏側に位置決め可能な基部（２０）と、該基部（２０）に接合されるセパレータ部材（３０）とを備え、該セパレータ部材（３０）が、少なくとも前記基部（２０）から突出しており、前記２つのスラブ製品（Ｐ）の対向側面に接触することが可能であり、前記基部（２０）に対して実質上平行に位置する保管位置と、前記基部（２０）に実質上直交して突出する作業位置との間を可動であるデバイス（１０）であって、
前記作業位置にある前記セパレータ部材（３０）の阻止手段（２５０，３１１）を備え、
該阻止手段が、前記基部（２０）と前記セパレータ部材（３０）との間で少なくとも一方に固定された当接棚（２５０）を備え、
該当接棚（２５０）が、前記セパレータ部材（３０）が前記作業位置にあるとき、前記セパレータ部材（３０）が前記保管位置へ自然に戻るのを防止するように、少なくとも前記セパレータ部材（３０）および前記基部（２０）の他方に堅固に束縛されたフック部材（３１１）に干渉することが可能であるデバイス（１０）。
【請求項２】
前記フック部材（３１１）が、前記セパレータ部材（３０）と前記基部（２０）との間で少なくとも一方からカンチレバー状に突出する可撓性の弾性屈曲板を備え、
該可撓性の弾性屈曲板が、前記セパレータ部材（３０）が作業位置にあるとき、前記セパレータ部材（３０）が前記保管位置へ自然に戻るのを防止するように、前記当接棚（２５０）上に載せられることによってスナップ・フィットすることが可能である請求項１に記載のデバイス（１０）。
【請求項３】
前記フック部材（３１１）および前記当接棚（２５０）は、機械的干渉によって接合することが可能であり、前記セパレータ部材（３０）が前記作業位置にあるとき、前記セパレータ部材が前記保管位置へ自然に戻るのを相互摩擦によって防止するように、互いに実質上側面を接する請求項１に記載のデバイス（１０）。
【請求項４】
前記セパレータ部材（３０）は、ヒンジを画定することが実質上可能な折り畳み線（３４）によって前記基部（２０）に接合される請求項１から請求項３のいずれかに記載のデバイス（１０）。
【請求項５】
前記折り畳み線（３４０）は、前記セパレータ部材（３０）と前記基部（２０）との間の接合点に実現される実質上Ｖ字状の切れ目によって構成される請求項４に記載のデバイス（１０）。
【請求項６】
前記セパレータ部材（３０）に付随可能なプレッサ手段（４０）を備え、
該プレッサ手段（４０）は、前記スラブ製品（Ｐ）の可視表面を前記基部（２０）の方へ押して前記製品（Ｐ）をレベリングすることが可能である請求項１から請求項５のいずれかに記載のデバイス（１０）。
【請求項７】
前記セパレータ部材（３０）が前記基部（２０）に固定されたスラブ体を備え、
該スラブ体が貫通窓（３２）を備え、
該貫通窓（３２）の上縁部（３３）が、前記動作作業位置にあるとき、前記スラブ製品（Ｐ）の前記可視表面の平面より上に配置されるようになっており、
前記プレッサ手段が、前記窓（３２）の内部に挿入可能なくさび部材（４０）を備え、
該くさび部材（４０）が、前記上縁部（３４）と協働して前記スラブ製品を前記基部（２０）の方へ押し込むように、前記スラブ製品（Ｐ）の前記可視表面上で載せられたまま摺動可能である請求項６に記載のデバイス（１０）。
【請求項８】
前記セパレータ部材（３０）が、事前に弱くした破断線（３５）を有する線または断面を呈し、
該破断線（３５）が、使用の際、隔置されてレベリングされるべき前記スラブ製品（Ｐ）の前記可視表面の平面の下方に配置することができる請求項１から請求項７のいずれかに記載のデバイス（１０）。
【請求項９】
前記事前に弱くした線または断面（３５）が、前記折り畳み線（３４０）に実質上一致する請求項４または請求項８に記載のデバイス（１０）。
【請求項１０】
前記事前に弱くした線または断面（３５）と前記折り畳み線（３４０）との間からの少なくとも一方が、前記基部（２０）の厚さ内に含まれる高さに配置される請求項４または請求項８に記載のデバイス（１０）。
【請求項１１】
前記セパレータ部材（３０）に対して角度をなして前記基部（２０）から突出するコーナ・スペーサ（５０）を備え、
該コーナ・スペーサ（５０）が、前記側面配置方向（Ａ）に直交する方向（Ｄ）に沿って前記スラブ製品（Ｐ）を位置合わせするように、前記スラブ製品（Ｐ）の前記対向側面に直交する側面に接触することが可能である請求項１から請求項１０のいずれかに記載のデバイス（１０）。
【請求項１２】
前記コーナ・スペーサ（５０）は、該コーナ・スペーサ（５０）が前記基部（２０）より上に突出する上昇位置と、前記側面が前記スラブ製品（Ｐ）に直交する非干渉位置との間を可動である請求項１１に記載のデバイス（１０）。
【請求項１３】
前記コーナ・スペーサ（５０）が前記側面配置方向（Ａ）に沿って前記窓（３２）と位置合わせされる請求項１１に記載のデバイス（１０）。
【請求項１４】
前記基部（２０）が前記基部（２０）の厚さに沿って可変の断面を呈する少なくとも貫通孔（２６）を備え、
該貫通孔（２６）が、前記スラブ製品（Ｐ）の前記敷設表面に接触するようになっている前記基部（２０）の表面から前記基部の反対側の表面の方へ縮小する請求項１から請求項１３のいずれかに記載のデバイス（１０）。
【発明の詳細な説明】
【技術分野】
【０００１】
本発明は、踏みつけることができる表面、床、壁のカバー、または天井などの表面を被覆するための、天然のスラブ製品などのスラブ製品を敷設するレベリング・スペーサ・デバイスに関する。
【背景技術】
【０００２】
床、壁などの表面を被覆するためのタイルを敷設する分野では、スペーサ・デバイスの使用が知られており、タイルを隔置するだけではなく、タイルを平面に配置することを可能にする。これらのデバイスは、レベリング・スペーサ・デバイスとして一般に知られている。
【０００３】
周知のタイプのレベリング・スペーサ・デバイスは、概して、少なくとも２つの隣接タイルの敷設表面の下に位置決め可能な基部を備え、この基部から、少なくともセパレータ部材が突出し、セパレータ部材は、セパレータ部材の横側面によって、敷設表面上に横に並んで敷設されるべき２つのタイルの対向側面に接触することが可能である。
【０００４】
レベリング・スペーサ・デバイスはまた、プレッサ手段を備え、プレッサ手段は、セパレータ部材のうちタイルの可視表面によって画定された平面の上に突出する部分と協働して、製品の可視表面を基部の方へ押してレベリングすることが可能である。
【０００５】
周知のタイプの様々なレベリング・スペーサ・デバイスの中には、セパレータ部材が、基部平面と実質上同一平面になる省スペースの保管位置と、基部から実質上直角に突出する動作作業位置との間で可動のものもある。
【０００６】
周知のタイプの周知のレベリング・スペーサ・デバイスの例は、本出願人名による特許文献１に記載されている。これらのレベリング・スペーサ・デバイスは、一方ではデバイスの空間体積の低減を可能にしながら、デバイスのより合理的かつ効率的な保管および輸送も可能にし、その結果、相対的なコストに対して有益な影響が得られるが、セパレータ部材は、作業位置に位置決めされた後、所望の位置（基部に対して直角）に留まるのではなく、たとえばレベリング・スペーサ・デバイス自体が作られた材料に固有の特定の弾性の影響によって、制限された角度だけであっても、保管位置の方へ自由に戻るため、これらのレベリング・スペーサ・デバイスには、敷設を行う作業員にとってそれほど便利に使用できないという欠点がある。さらに、セパレータ部材が傾斜またはわずかに傾斜した配置では、デバイス自体の領域内でタイルを正確に位置決めすることが可能ではなく、したがって完全に規則的とはいえない空間がタイル間に画定される。これは、すでに敷設されているタイルに側面を接するタイルの位置決めにとって問題である。
【先行技術文献】
【特許文献】
【０００７】
【特許文献１】伊国特許出願第ＭＯ２００２Ａ００００３５号明細書
【特許文献２】欧州特許出願公開第２５６５３４６号明細書
【発明の概要】
【発明が解決しようとする課題】
【０００８】
本発明の目的は、簡単、合理的、かつ比較的安価な解決策によって、従来技術の前述の欠点を未然に防ぐことである。
【課題を解決するための手段】
【０００９】
これらの目的は、独立請求項に記載の本発明の特徴によって達成される。従属請求項は、本発明の好ましいかつ／または特に有利な態様について記載する。
【００１０】
本発明は特に、表面を被覆するためのスラブ製品を敷設するレベリング・スペーサ・デバイスを開示し、このデバイスは、側面配置方向に対して側面を接する少なくとも２つの隣接スラブ製品の敷設表面の裏側に位置決め可能な基部と、基部に接合されるセパレータ部材とを備え、セパレータ部材は、少なくとも基部から突出しており、２つのスラブ製品の対向側面に接触することが可能であり、セパレータ部材が基部に対して実質上平行に位置する保管位置と、セパレータ部材が基部に実質上直交して突出する作業位置との間を可動である。
【００１１】
本発明では、レベリング・スペーサ・デバイスは、作業位置にあるセパレータ部材の阻止手段を備える。
【００１２】
この解決策により、デバイスは、デバイスの体積を低減させ、ならびに工場、保管、および輸送コストを低減させるように作製および保管することができ、同時に、固定のセパレータ部材を有するデバイスと比較して、スラブ製品の敷設を実施する作業員にとって容易に使用することができるデバイスを提供する。
【００１３】
阻止手段は、有利には、基部とセパレータ部材との間で少なくとも一方に固定された当接棚を備え、当接棚は、たとえばセパレータ部材が作業位置にあるとき、セパレータ部材が保管位置の方へ自然に戻るのを防止するように、少なくともセパレータ部材および基部の他方に堅固に束縛されたフック部材に干渉することが可能である。
【００１４】
この解決策により、阻止手段は、簡単かつ合理的に画定することができ、レベリング・スペーサ・デバイスを構成する部材と一体に作ることができる。
【００１５】
本発明のさらなる態様では、フック部材は、セパレータ部材と基部との間で少なくとも一方からカンチレバー状に突出する可撓性の弾性屈曲板を備え、可撓性の弾性屈曲板は、セパレータ部材が作業位置にあるとき、セパレータ部材が保管位置へ自然に戻るのを防止するように、当接棚上に載せられることによってスナップ・フィットすることが可能である。
【００１６】
このようにして、スナップ係合により、操作者にとって急速かつ簡単に、ならびに必要な場合は解放可能に、作業位置にあるセパレータ部材の阻止が実現される。
【００１７】
別法として、フック部材および当接棚は、機械的干渉によって接合することが可能であり、セパレータ部材が作業位置にあるとき、セパレータ部材が保管位置へ自然に戻るのを相互摩擦によって防止するように、互いに実質上側面を接する。
【００１８】
本発明のさらなる態様では、セパレータ部材は、ヒンジを画定することが実質上可能な折り畳み線によって基部に接合される。
【００１９】
実際には、セパレータ部材は、基部に回転可能に結合される。
【００２０】
さらに、セパレータ部材は、作業位置からの移動中、約９０°の弧を描く。
【００２１】
ヒンジ線は、セパレータ部材の保管位置から作業位置への移動（回転）中、弾性変形または塑性変形および弾性変形の組合せによって変形し、たとえばその結果、セパレータ部材は、解放された場合（阻止の前）、保管位置の方へ、たとえば保管位置および作業位置に対して中間（および別個）の位置へ、自然に（弾性的に）戻る。
【００２２】
阻止手段は、セパレータ部材を保管位置の方へ自然に戻す傾向のあるヒンジ線の弾性変形部分に対向し、セパレータ部材を作業位置で、すなわち基部から直角に立ち上がるように、実質上阻止するように構成される。折り畳み線は、有利には、セパレータ部材と基部との間の接合点に実現される実質上Ｖ字状の切れ目によって構成され、この切れ目は、たとえば、先細り状区間を画定することがさらに可能であり、先細り状区間は、破断しやすい線または断面を画定し、セパレータ部材と基部との間の分離を可能にする。さらに、事前に弱くした線もしくは断面および／または折り畳み線は、有利には、基部の厚さ内に含まれる高さに配置され、デバイスの作製およびセパレータ部材の取外しにおいて、疑いない利点が得られる。
【００２３】
さらなる態様では、本発明のレベリング・スペーサ・デバイスは、セパレータ部材に付随可能なプレッサ手段を備え、プレッサ手段は、スラブ製品の可視表面を基部の方へ押して製品をレベリングすることが可能である。
【００２４】
プレッサ部材は、当業者には周知の任意のタイプとすることができる。セパレータ部材は、有利には、基部に固定されたスラブ体を備え、スラブ体は貫通窓を備え、貫通窓の上縁部は、動作作業位置にあるとき、スラブ製品の可視表面の平面より上に位置決めされるようになっており、この場合、プレッサ手段は、窓の内部に挿入可能なくさび部材を備え、くさび部材は、上縁部と協働してスラブ製品を基部の方へ押し込むように、スラブ製品の可視表面上で載せられたまま摺動可能である。
【００２５】
このようにして、デバイスおよびくさび部材から構成されるシステムは、たとえば簡単な手動式のペンチの使用によってスラブ製品を敷設する作業員にとって、特に容易かつ迅速に使用することができる。
【００２６】
本発明のさらなる態様では、デバイスは、セパレータ部材に対して角度をなして基部から突出するコーナ・スペーサを備えることができ、コーナ・スペーサは、側面配置方向に直交する方向に沿ってスラブ製品を位置合わせするように、スラブ製品の対向側面に直交する側面に接触することが可能である。
【００２７】
これによって、様々なレベリング・スペーサ・デバイスを実現することができ、直角に配置されるべき３つまたは４つの製品のコーナにおいて、側面を接するべきスラブ製品の側縁部で、それぞれ使用することができる。
【００２８】
コーナ・スペーサは、有利には、コーナ・スペーサが基部の上に突出する上昇位置と、側面がスラブ製品に直交する非干渉位置との間を可動である。
【００２９】
この解決策により、レベリング・スペーサ部材は、製品の敷設パターンに依存することなく、側面を接するべき２つのスラブ製品の側縁部と、直角に配置されるべき製品のコーナとの両方で使用することができ、同時に、敷設された製品に対するレベリング機能と敷設された製品を互いに対して隔置する機能とを実施することができる。
【００３０】
特に、角度スペーサは、側面配置方向に対して平行な方向に沿って窓と位置合わせされる。
【００３１】
本発明のさらなる態様では、基部は、基部の厚さに沿って可変の断面を呈する少なくとも貫通孔を備え、貫通孔は、スラブ製品の敷設表面に接触するようになっている基部の表面から基部の反対側の表面の方へ縮小する。この解決策により、上記のレベリング・スペーサ・デバイスは、皿もみされた貫通孔が、基部の厚さ内、すなわちスラブ製品の敷設表面に接触するようになっている基部の表面と基部の反対側の表面との間に含まれる締結器具（ねじ、鋲などの締結器具）に対して当接表面を提供するため、接着剤が貫通孔の内部へ貫入してタイルの把持を改善することができる床または壁の敷設だけではなく、天井のカバーに対するスラブ製品の敷設にも使用することができる。
【００３２】
本発明のさらなる態様では、やはり上記に対して依存することなく保護可能な、表面を被覆するためのスラブ製品を敷設するレベリング・スペーサ・デバイスが開示され、このデバイスは、側面配置方向に対して側面を接する少なくとも２つの隣接スラブ製品の敷設表面の裏側に位置決め可能な基部と、基部に接合されるセパレータ部材とを備え、セパレータ部材は、少なくとも基部から突出しており、基部に対して実質上直角であり（使用時）、２つのスラブ製品の対向側面に接触することが可能であり、このデバイスは、基部が、基部の厚さに沿って可変の断面を呈する少なくとも貫通孔を備え、貫通孔が、スラブ製品の敷設表面に接触するようになっている基部の表面から基部の反対側の表面の方へ縮小することを特徴とする。
【００３３】
この解決策により、皿もみされた貫通孔が、基部の厚さ内、すなわちスラブ製品の敷設表面に接触するようになっている基部表面と基部の反対側の表面との間に含まれる締結器具（ねじ、鋲などの締結器具）に対して当接表面を利用可能にするため、天井を被覆するためのスラブ製品を敷設するためにもレベリング・スペーサ・デバイスを使用することが可能である。
【００３４】
実際には、締結器具は、貫通孔を通って見えないように挿入することができ、締結器具のヘッドは、貫通孔の先細り状の断面を天井の当接壁に対して締結することができ、同時に、スラブ製品の敷設表面に接触するようになっている基部の表面から突出しないように、基部の厚さの内部に配置することができ、したがって、基部が単独で、スラブ製品のレベリングのための当接部として機能する。
【００３５】
さらに、やはり上記の内容に対して依存することなく保護可能な本発明の別の態様は、表面を被覆するためのスラブ製品を敷設するレベリング・スペーサ・デバイスを開示し、このデバイスは、側面配置方向に対して側面を接する少なくとも２つの隣接スラブ製品の敷設表面の裏側に位置決め可能な基部であって、この基部から少なくともセパレータ部材が突出し、セパレータ部材は、基部に対して実質上直角であり（使用時）、２つのスラブ製品の対向側面に接触することが可能であり、このデバイスは、基部が、基部の厚さに沿って可変の断面を呈する少なくとも貫通孔を備え、貫通孔が、スラブ製品の敷設表面に接触するようになっている基部の表面から基部の反対側の表面の方へ縮小することを特徴とする基部と、スラブ製品の敷設表面に接触するようになっている基部の表面から突出しないように貫通孔内に挿入されるようになっている少なくとも締結器具、たとえばねじまたは鋲などとを備える。
【００３６】
本発明のさらなる特徴および利点は、添付の表の図を用いて非限定的な例として提供される以下の説明を読めば明らかになる。
【図面の簡単な説明】
【００３７】
【図１】保管位置にある本発明によるレベリング・スペーサ・デバイスの第１の実施形態の第１の不等角投影図である。
【図２】図１のレベリング・スペーサ・デバイスの第２の不等角投影図である。
【図３】図１の側面図である。
【図４】図１の正面図である。
【図５】図１の上面図である。
【図６】図２の拡大詳細図である。
【図７】動作作業位置にある本発明の第１の実施形態によるレベリング・スペーサ・デバイスの第１の不等角投影図である。
【図８】図７のレベリング・スペーサ・デバイスの第２の不等角投影図である。
【図９】図７の側面図である。
【図１０】図７の正面図である。
【図１１】図８の拡大詳細図である。
【図１２】保管位置にある本発明によるレベリング・スペーサ・デバイスの第２の実施形態の第１の不等角投影図である。
【図１３】図１２のレベリング・スペーサ・デバイスの第２の不等角投影図である。
【図１４】図１２の側面図である。
【図１５】図１２の上面図である。
【図１６】動作作業位置にある本発明の第２の実施形態によるレベリング・スペーサ・デバイスの不等角投影図である。
【図１７】図１６の側面図である。
【図１８】図１６の上面図である。
【図１９】スラブ製品をレベリングするためにくさびが挿入された図１６のデバイスの側面図である。
【図２０】スラブのレベリングのためのくさびの挿入前のスラブ製品の可能な配置による図１６のデバイスの上面図である。
【図２１】スラブのレベリングのためのくさびの挿入後のスラブ製品の可能な配置による図１６のデバイスの上面図である。
【図２２】保管位置にある本発明によるレベリング・スペーサ・デバイスの第３の実施形態の不等角投影図である。
【図２３】図２２の側面図である。
【図２４】図２２の上面図である。
【図２５】動作作業位置にある本発明の第３の実施形態によるレベリング・スペーサ・デバイスの側面図である。
【図２６】図２５の不等角投影図である。
【図２７】保管位置にある本発明によるレベリング・スペーサ・デバイスの第４の実施形態の不等角投影図である。
【図２８】図２７の側面図である。
【図２９】図２７の上面図である。
【図３０】動作作業位置にある本発明の第４の実施形態によるレベリング・スペーサ・デバイスの不等角投影図である。
【図３１】図３０の側面図である。
【図３２】図３０の上面図である。
【図３３ａ】格子パターンのスラブ製品の第１の可能な敷設図の概略平面図である。
【図３３ｂ】階段パターンのスラブ製品の第２の可能な敷設図の概略平面図である。
【図３３ｃ】複雑なパターンのスラブ製品の第３の可能な敷設図の概略平面図である。
【図３４】カーソル型のプレッサ部材と組み合わせて使用可能な保管位置にあるレベリング・スペーサ・デバイスの第２の変形形態の不等角投影図である。
【図３５】先細り状の二叉端部を有するくさび状プレッサ部材と組み合わせたレベリング・スペーサ・デバイスの第３の変形形態の不等角投影図である。
【発明を実施するための形態】
【００３８】
これらの図を特に参照すると、１０は、全体として、タイルなどのスラブ製品の敷設を容易にすることが可能なレベリング・スペーサ・デバイスを示し、タイルは、全体として、文字Ｐで示されており、表面、すなわち床、壁、天井などを被覆するようになっている。
【００３９】
デバイス１０は、たとえば多角形、円形、または不規則な形状の広くなった基部２０を備え、たとえば平坦な底面２１を画定する。
【００４０】
底面２１は、タイルＰによって被覆されるべき床下表面上に配置された接着剤層上、または木材、プラスターボードなどの平坦な固定面上に載せることができる。
【００４１】
やはり実質上平坦な基部２０の上面２２は、その代わりに、１つまたは複数のタイルＰの敷設表面の一部分を載せたまま受け取るようになっている。
【００４２】
実際には、基部２０は、以下により詳細に示すように、少なくとも２つ（またはそれ以上）の隣接タイルの下に位置決めされる。
【００４３】
図示の例では、基部２０は、不規則な形状（平面内）を呈する単体であり、狭くなった部分２３１と、広くなった部分２３２とを備える。
【００４４】
実際には、広くなった部分２３２は、実質上三角形の形状（面取りされた縁部を有する）、たとえば二等辺三角形（９０°のコーナ角度を有する）を呈し、三角形の形状の基部（コーナの反対側）から、狭くなった部分２３１が、広くなった部分２３２のコーナとは反対方向に分岐する。
【００４５】
狭くなった部分２３１は、たとえば実質上四角形の形状、たとえば実質上正方形を呈し、面取りされた縁部を有する。
【００４６】
実際には、狭くなった部分２３１は、狭くなった部分２３１がそこから分岐する広くなった部分の横断体積（コーナとは反対側の底辺によって画定される）より実質上小さい横断体積（広くなった部分から分岐する側に画定される）を呈し、広くなった部分２３２の２つの自由縁部（すなわち、コーナとは反対側の底辺の２つの端部部分）を画定するように、広くなった部分の中心区間で接続され、２つの自由縁部は、狭くなった部分２３１に対して両側に位置する。
【００４７】
基部２０は、たとえば、底面２１に対して鋭角に傾斜した少なくとも側縁部２４を呈する。
【００４８】
この例では、２つの側縁部２４が、それぞれ狭くなった部分２３１および広くなった部分２３２の自由遠位縁部に画定され、傾斜して反対側に位置決めされる。
【００４９】
各側縁部２４は、基部２０の底面２１を上面２２に接続する傾斜して突き出した斜面を画定する。
【００５０】
図示の例では、側縁部２４は、基部２０の中心から等距離にあり、さらに、側縁部２４は、基部２０の狭くなった部分２３１と広くなった部分２３２との間の接合線（架空）、したがって広くなった端部の自由端部によって画定される線に対して平行である。
【００５１】
基部２０は、有利には、基部２０の上面２２から直交して突き出した板状のセパレータ壁２５を備える。セパレータ壁２５は、基部２０の狭くなった部分２３１と広くなった部分２３２との間の接合線（架空）に対して平行であり、したがって広くなった縁部の自由縁部に実質上位置合わせされる。
【００５２】
セパレータ壁２５は、敷設されるべきタイルＰの厚さより（はるかに）小さい高さを呈する。
【００５３】
デバイス１０は、図に文字Ａによって示す側面配置方向に沿って敷設されたときに側面を接するべき少なくとも２つのタイルＰの対向側面の一部分に使用の際に少なくとも接触するセパレータ部材３０をさらに備える。
【００５４】
セパレータ部材３０は、スラブ状の平行六面体であり、たとえば、薄いセパレータ壁を画定する方形の基部を有する。
【００５５】
特に、セパレータ部材３０は、互いに対して平行な２つの側方支柱３１を備え、側方支柱３１は、横材３１０によって上で接合される。
【００５６】
２つの側方支柱３１は、以下により詳細に示すように、横材３１０とは反対側の端部で基部２０に接合される。
【００５７】
実際には、セパレータ部材３０は、セパレータ部材３０が基部２０に対して実質上平行に位置する保管位置と、セパレータ部材３０が基部から実質上直交して突出する作業位置との間を可動であり、たとえば、基部の中間線（すなわち、狭くなった部分２３１と広くなった部分２３２との間の接合線）と平面に位置合わせされる。
【００５８】
さらに、セパレータ部材３０は、敷設されるべきタイルＰの厚さより大きい高さを呈し、したがって、タイルＰが基部２０の上面２２に載せられているとき、作業位置にあるセパレータ部材の頂部は、タイルＰの可視表面によって画定されるレベリングするべき平面に対して上に（十分な量だけ）突出する。
【００５９】
さらに、セパレータ部材３０は、セパレータ部材３０の入口構造のため、横から横へ横断方向に通る貫通窓３２を画定し（側方支柱３１によって側方および横材３１０によって上を取り囲まれる）、貫通窓３２の上枠３３は、セパレータ部材３０が作業位置にあるとき、レベリングされるべきタイルＰの可視表面の平面の上に位置決めされるようになっている。
【００６０】
実際には、セパレータ部材３０が作業位置にあるとき、貫通窓３２の上縁部３３は、セパレータ壁２５と平面に実質上位置合わせされ、したがって、セパレータ壁２５の上縁部は、貫通窓の下縁部を画定する。
【００６１】
さらに、これらの図に示す好ましい実施形態では、貫通窓は、セパレータ部材３０が保管位置にあるとき、基部２０の狭くなった部分２３１を収容する（実質上同一平面であり、遊びを有する）ことが可能になるような寸法である。
【００６２】
セパレータ部材３０は、好ましくは、広くなった部分２３２の自由端部で基部２０に接合され、したがって、側方支柱３１は、セパレータ部材３０が保管位置にあるとき、狭くなった部分を側方から取り囲む（貫通窓３２の下縁部３３が、狭くなった部分２３１の側縁部２４の方を向いている）。
【００６３】
セパレータ部材３０は、保管位置から作業位置へ（逆も同様に可能）のセパレータ部材３０の回転を可能にするヒンジを実質上画定する折り畳み線３４によって、基部２０に接合される。折り畳み線３４は、セパレータ部材３０と基部２０との間の接合線上に実現されるＶ字状に実質上共形の切れ目によって実現される。Ｖ字状の切れ目は、有利には、セパレータ部材３０の折り畳みを容易にするように、基部の底面２１に対して反対側を向いている凹面を呈する。
【００６４】
実際には、セパレータ部材３０が保管位置にあるとき、Ｖ字状の切れ目は開いているのに対して、セパレータ部材３０が作業位置にあるとき、切れ目の側面は接触し、切れ目を実質上閉じる。
【００６５】
Ｖ字状の切れ目の側面は、有利には、直角に相互に傾斜する（たとえば、それぞれ基部２０の上面２２に対して４５°傾斜する）。
【００６６】
さらに、セパレータ部材３０は、事前に弱くした線または断面を呈し、これらの線または断面は、使用の際、隔置されてレベリングされるべきタイルの可視表面の平面の下で、たとえば基部２０の上面２２と同じ平面以下（図示の例）に配置される。
【００６７】
この事前に弱くした線または断面により、タイルＰが敷設され、タイルＰを支持する接着剤が凝固した後、デバイス１０の突出部分を容易に取り除くことができる。
【００６８】
事前に弱くした線または断面は、好ましくは、折り畳み線３４に一致し、Ｖ字状の切れ目によって画定される。
【００６９】
実際には、セパレータ部材３０および基部２０は、たとえば塑性材料の成形によって一体として実現され、塑性材料は、Ｖ字状の切れ目によって画定された狭くなった断面によって互いに接合されており、以下により詳細に示すように、必要に応じて切り離すことができる。
【００７０】
さらに、基部２０およびセパレータ部材３０は、デバイス１０の一度使うだけの使い捨ての部分を画定しており、使用後、敷設されたタイルＰの平面の下に隠された基部は、デバイス１０内に配置されたままであるが、基部２０から切り離されたセパレータ部材３０は、捨てることができる。
【００７１】
特に、本発明の目的で、デバイス１０は、作業位置にあるセパレータ部材３０の阻止手段を備える。
【００７２】
たとえば、阻止手段は、解放可能なタイプまたは一時的に阻止するタイプである。
【００７３】
阻止手段は、基部２０とセパレータ部材３０との間で少なくとも一方に固定された少なくとも当接棚２５０を備え、当接棚２５０は、少なくともセパレータ部材３０および基部２０の他方に堅固に束縛されたフック部材３１１に干渉することができる。
【００７４】
図示の例では、阻止手段は、基部２０に固定された２つの当接棚２５０と、セパレータ部材３０に固定された２つのフック部材３１１とを備えるが、これらの数は異なることもでき、たとえば単一の当接棚２５０および単一のフック部材３１１とすることができる。
【００７５】
各当接棚２５０は、たとえば、制限された軸方向の量だけ壁を長手方向に長くするようにセパレータ壁２５に固定され、当接棚２５０は、狭くなった部分２３１の外側に突出するように分岐する。
【００７６】
実際には、各当接棚２５０は、広くなった部分２３２の自由縁部に平面に実質上位置合わせされる。
【００７７】
各当接棚２５０は、狭くなった部分２３１の方（すなわち、保管位置にあるときのセパレータ部材３０の方）を向いている前面２５１と、広くなった部分２３２の方を向いている背面２５２とを画定する。
【００７８】
各当接棚２５０は、実質上剛性であり、またはわずかな弾性屈曲性を呈する。
【００７９】
各フック部材３１１は、たとえば、制限された量だけフック部材３１１を貫通窓３２の内部へ長くするようにセパレータ部材３０の支柱３１に固定され、支柱３１から突出するように分岐する。各フック部材３１１は、実質上板状であり、たとえば、実質上剛性であり、または特定の弾性屈曲性を呈する。
【００８０】
図示の例では、各フック部材３１１は、可撓性の弾性屈曲板を備え、この板は、セパレータ部材３０が作業位置にあるとき、セパレータ部材が保管位置へ自然に戻るのを防止するように、当接棚２５０上、特に当接棚２５０の背面２５２上に載せられてスナップ・フィットすることができる。
【００８１】
この場合、各側の当接棚２５０およびフック部材３１１は、折り畳み線３４を中心とする架空の円周に沿って実質上位置合わせされる。
【００８２】
実際には、セパレータ部材３０を保管位置から作業位置へ進める際、フック部材３１１は、当接棚２５０の前面２５１に接触し、次いで撓み、当接棚２５０を越えて進み、当接棚２５０の背面２５２に接触し、そこで阻止されたまま留まる。
【００８３】
セパレータ部材３０が基部２０に対して実質上直角になる作業位置に阻止されたセパレータ部材３０が保管位置へ戻ることは、当接棚２５０によって防止され、同時に、反対側ではＶ字状の切れ目によって傾きが防止され、セパレータ部材の運動を実質上直角に制限する。
【００８４】
明らかに、当接棚２５０は、可撓性で弾性屈曲可能とすることができ、フック部材３１１は、実質上剛性もしくは半剛性とすることができ、または両者を可撓性で弾性屈曲可能とすることができる。
【００８５】
さらに、別法として、フック部材３１１は、セパレータ部材３０が作業位置にあるとき、機械的摩擦によって当接棚２５０と接合することができる。
【００８６】
実際には、フック部材３１１および当接部材２５０は、これらの自由端部（それぞれ側方支柱３１およびセパレータ壁２５に束縛されたそれぞれの端部から遠位）で相互に接触するように構成することができ、わずかな（塑性）変形後、（セパレータ壁の軸に沿って）実質上位置合わせされ、その結果、セパレータ部材が保管位置へ自然に戻ることが、フック部材３１１と当接棚２５０との間の相互摩擦によって防止される。
【００８７】
デバイス１０は、セパレータ部材３０に付随するプレッサ手段をさらに備え、プレッサ手段は、タイルＰの可視表面を基部２０の方へ押してタイルをレベリングすることが可能である。
【００８８】
特に、プレッサ手段は、たとえば、くさび部材４０（簡単にするため、図１９および図２１でのみ見ることができる）を備え、くさび部材４０は、使用の際には基部２０に対して平行に配置されるようになっている平坦な下面４１と、歯または刻みなどの当接部材を備える傾斜した上面４２とを備える。
【００８９】
くさび部材４０は、貫通窓３２の内部に挿入することができ、下面４１がタイルＰの可視表面上に載せられている状態で摺動することができ、したがって、くさび部材４０の上面４２は、貫通窓３２の上縁部３３に接触し、たとえば歯が上縁部に係合し、したがって、くさび部材４０は、この推力によって基部２０に向かってタイルＰに押し付けられる。
【００９０】
セパレータ部材３０は、有利には、貫通窓３２の上（または貫通窓３２の上縁部３３の周辺）に位置決めされた補強部、たとえばより大きい断面（任意の形状）を有する区間を呈し、補強部は、使用の際、くさび部材４０が貫通窓３２に押し込まれたときにセパレータ部材の撓みを防止することが可能である。
【００９１】
くさび部材４０は、たとえば、デバイス１０のうち、複数の貫通窓３２内に挿入によって適用することができる再利用可能な部分である。
【００９２】
しかし、プレッサ手段が、別法として、セパレータ部材に沿って摺動することが可能なブロックを備えることが可能であり、このブロックは歯を備え、これらの歯は、セパレータ部材に付随する適当なラック、または側面を接するレベリングされるべき２つ以上のタイルＰの可視表面に段階的で実質上均一の圧力を印加することが可能な周知のタイプの別のシステムに係合することができる。
【００９３】
図１２から図１９および図２７から図３２にそれぞれ示す第２および第４の実施形態では、デバイス１０は、有利には、セパレータ部材３０に対して直角に基部２０から突出する少なくともコーナ・スペーサ５０（ならびに上記の内容）を備える。
【００９４】
実際には、平面で、セパレータ部材３０およびコーナ・スペーサ５０は、交差して配置され、たとえば、コーナ部材５０は、貫通窓３２に（側面配置方向Ａに沿って）実質上位置合わせされ、すなわち、使用の際にくさび部材の下に配置することができるように基部内に配置される（図２１参照）。
【００９５】
コーナ・スペーサ５０は、側面配置方向Ａに直交する方向Ｄに沿ってタイルＰを位置合わせするように、タイルＰの対向側面に直交する側面に接触することが可能である。
【００９６】
コーナ・スペーサ５０は、限定的ではなく有利には、コーナ・スペーサ５０が基部２０の上に突出して基部２０から上昇した上昇位置と、側面が（方向Ｄに対して）タイルＰに直交する非干渉の位置との間を可動である。
【００９７】
実際には、コーナ・スペーサ５０は、非干渉の構成で下降するように構成することができ、したがって、垂直体積が基部２０の垂直体積（厚さ）内に完全にまたは少なくとも部分的に収容される。
【００９８】
この例では、コーナ・スペーサ５０は、２つの横側面５２を備える少なくともブロック５１を備え、２つの横側面５２は、ブロック５１が上昇位置にあるとき、方向Ｄに沿って側面を接するべき２つのタイルＰの側面に接触することが可能である。
【００９９】
これらの図に示す好ましい実施形態では、ブロック５１は基部２０に関連し、したがって、非干渉位置では、横側面５２はすべて基部２０の垂直体積内に収容され、すなわちブロック５１は基部２０内に隠され、上昇位置では、横側面５２は基部の上に突出し、したがって直角に配置されるべきタイルＰの側面に対する当接部材として機能することができる。
【０１００】
コーナ・スペーサ５０の平面内の厚さは、有利には、セパレータ部材３０（特に、側方支柱３１）の平面内の厚さ（水平）に等しく、したがって、タイルＰは、方向Ｄと側面配置方向Ａの両方に沿って同じ距離だけ隔置される。
【０１０１】
しかし、タイルＰの様々な敷設要件に応じて、コーナ・スペーサ５０の平面内の厚さが、セパレータ部材３０の平面内の厚さとは異なっていてもよい。
【０１０２】
図示の実施形態では、デバイス１０は、この例では、上記のように互いに依存しない少なくとも２つのコーナ・スペーサ５０を備え、これらのコーナ・スペーサ５０は、セパレータ部材３０に対して反対側に配置され、特に、図示の例では、２対のコーナ・スペーサ５０が存在し、各対は、セパレータ部材３０に対して反対側に配置される。
【０１０３】
各コーナ・スペーサ５０の横側面５２は、方向Ｄに沿ってタイルＰの側面の効果的な位置合わせを保証するために、互いに２つずつ実質上同一平面にあり、セパレータ部材３０の側方支柱３１に直交している。
【０１０４】
しかし、デバイス１０は、別法として、セパレータ部材３０に（たとえば窓３２を通って）交差する単一のコーナ・スペーサ５０を備えていてもよい。
【０１０５】
図１２から図１９および図２７から図３２に示す好ましい実施形態では、各ブロック５１が、少なくとも塑性または弾性屈曲材料で構成され、基部２０から突出するように分岐する。
【０１０６】
実際には、各ブロック５１は、自由端部と、基部２０に固定された反対側の端部とを呈し、基部と一体的に構成される。
【０１０７】
ブロック５１を構成する材料の屈曲性のため、ブロックは、ブロックの上昇位置で鋭角に上方へ折り畳まれて配置され、非干渉または下降位置では基部２０と実質上同一平面に配置される。
【０１０８】
角度スペーサは、これらの図に示すものとは異なることができ、たとえば、参考のために本明細書に組み込まれている本出願人の名による特許文献２に記載のように、伸縮式、着脱式などとすることができる。
【０１０９】
実際には、可動タイプのコーナ・スペーサ５０のため、単一のデバイス１０によって、たとえば、実質上十字、Ｔ字、および／または直線のコーナ・スペーサ５０（基部から突出する）およびセパレータ部材３０の構造によって、タイルＰの２つ以上の配置を実現することが可能であり、３つの異なる可能な周知のタイル敷設パターンを示す図３３ａ、図３３ｂ、および図３３ｃによりはっきりと示すように、同じデバイス１０をタイルの異なる区間内で使用することができる。
【０１１０】
別法として、コーナ・スペーサ５０は、本出願人の名による特許文献１に記載のように、基部２０に堅く固定することができる。
【０１１１】
第１および第２の実施形態に関連して上述した内容に対する追加または別法として、それぞれ図２２から図２６および図２７から図３２に示す第３および第４の実施形態におけるデバイス１０は、有利には、基部２０内に少なくとも貫通孔２６を呈する。
【０１１２】
この例では、４つの貫通孔が示されており、２つが狭くなった部分２３１に位置し、２つが広くなった部分２３２に位置するが、要件に応じて異なる数としてもよい。
【０１１３】
貫通孔２６は、床張りおよび被覆のためにタイルＰを敷設する場合、接着剤のための下からのアクセス口を画定するという機能を有し、接着剤は、貫通孔２６の内部に貫入し、基部２０に平面に重ねられたタイルの敷設表面の一部分にも接触することができ、したがって把持を改善する。
【０１１４】
貫通孔２６は、有利には、基部２０の厚さに沿って基部２０の上面２２から基部２０の下面２１の方へ縮小する可変の断面を呈する。
【０１１５】
しかし、本明細書に示すこの特徴は、可動セパレータ部材３０が阻止手段を備えるデバイス１０の場合、たとえば、当業者には知られているように、可動であるが阻止手段のないまたは着脱式のセパレータ部材、基部２０に堅く固定されたセパレータ部材３０、ねじ型またはカーソル型のプレッサ・システムを有する、周知のタイプのレベリング・スペーサ・デバイスの任意のタイプで使用することができる。貫通孔２６は、たとえば、口（上面２２に画定される）に対して先細り状の当接表面を画定するように、傾斜または階段状の側面を有する円形の横断面を呈する。
【０１１６】
このようにして、貫通孔２６は、ねじ７０または鋲などの締結器具など、締結器具のヘッドを実質上見えないように収容することができ、ヘッドは、たとえば、たとえばパネル、タイルなどのスラブ状の部材で被覆されるべき天井で、デバイス１０をプラスターボード、木材などの当接平面に固定することができる。
【０１１７】
実際には、ねじ７０のヘッドは、貫通孔２６によって画定される先細り状の当接表面に干渉して、ヘッドを当接平面に締結することができ、同時に、基部２０の垂直体積（厚さ）の内部に収容することができ、基部２０の上面２２は、敷設されるべきスラブ製品に接触する唯一の部分のままである。
【０１１８】
この場合、デバイス１０およびねじ７０は、天井または下向きにつるされた部分を被覆するのに特に適した、表面を被覆するためのスラブ製品を敷設するレベリング・スペーサ・システムを画定する。
【０１１９】
上記に照らして、デバイス１０の機能について以下に述べる。
【０１２０】
デバイス１０は、セパレータ部材３０が保管位置にある状態で作製および包装される。
【０１２１】
使用するためには、デバイス１０を作業位置へ動かさなければならず、実際には、折り畳み線３４に対して実質上直角にセパレータ部材３０を回転させることによって、セパレータ部材３０が保管位置から作業位置へ動かされる。
【０１２２】
セパレータ部材３０が基部２０に対して直角に（直角よりわずかに小さく）実質上傾斜するとき、フック部材３１１は、当接棚２５０の前面２５１に接触し、小さい角度だけセパレータ部材３０の回転を継続することによって、フック部材３０は撓み、当接棚２５０を越えて進み、次いで反対側へ動かされて、当接棚の背面２５２上に載せられる。
【０１２３】
フック部材３１１は、可撓性であるが、特定の固さを呈し、フック部材３１１が応力を受けていない場合は当接棚２５０に引っ掛かったままになることを可能にし、実際には、セパレータ部材３０を作業位置に阻止されたままにする。
【０１２４】
表面を複数のタイルＰで被覆するには、この表面上に接着剤層を広げれば十分であり、次いでタイルＰを敷設することができる。
【０１２５】
実際には、第１のタイルが敷設されるとき、第１のデバイス１０を位置決めすれば十分であり、第１のデバイス１０の基部２０は、たとえば、それぞれの４つのタイルＰの４つのコーナの下に位置決めされるようになっている。
【０１２６】
基部２０が位置決めされた後、タイルの各コーナが、それぞれセパレータ部材３０の側方支柱３１および１対のブロック５１の横側面５２に接触する横側面の一部分を呈するように、４つのタイルＰを位置決めすれば十分である。
【０１２７】
このようにして、直角の配置ならびにデバイス１０を取り囲む４つのタイル間の等しい距離が確実になる。たとえば、タイルＰが特に大きい寸法を呈するとき、デバイス１０は、タイルの横側面の中央区間にも位置決めすることができる。
【０１２８】
この構成で、基部２０は、側面を接する２つのタイルＰの下に位置決めされ、したがって各タイルの横側面は、セパレータ部材３０の側方支柱３１上に載せられる。
【０１２９】
この際、タイルＰは、コーナ・スペーサ５０の１つまたは複数の上に載せられ、コーナ・スペーサ５０は、たとえばタイルＰの重量のため、または操作者が敷設を行うことによって、上昇位置から非干渉位置へ動かされ、基部２０の上面２２の平面の下に下降する。
【０１３０】
たとえば、まずタイルＰを敷設することが可能であり、次いでこのタイルのコーナまたは側面に、デバイス１０の基部２０の一部分が挿入される。
【０１３１】
上記のようにそれぞれのセパレータ部材３０およびコーナ・スペーサ５０を有する様々な基部２０が位置決めされた後、接着剤がいずれにせよ完全には凝固していないときに、レベリング・スペーサ・デバイス１０を完成させる様々なくさび部材４０が挿入され、タイルＰの可視表面を局所的に様々な点（中間またはコーナ）で押し、タイルの可視表面の完全なレベリングを可能にする。
【０１３２】
最後に、接着剤が硬化し、セパレータ部材３０の把持が事前に弱くした点または線に沿って破断したとき、セパレータ部材３０は取り除かれ、したがってタイルＰ間の空間にグラウトを詰めて、仕上げた表面上で基部２０が見えないようにすることができる。
【０１３３】
本発明は、考えられるように、多数の修正形態および変形形態が可能であり、これらはすべて本発明の概念の範囲内に入る。
【０１３４】
純粋に例として、図３４および図３５は、デバイス１０（保管位置に示す）の第１の変形形態および第２の変形形態をそれぞれ示し、デバイスのうち、以下に記載の変形形態で類似している、近似している、または同じ機能を有する構造的部材に対して、これらの図に示す参照番号は、図１から図３２で使用した数字から変更されていないままである。
【０１３５】
図３４の第１の変形形態では、デバイス１０は、カーソル型のプレッサ部材を使用することによってタイルＰをレベリングするために使用することができる。
【０１３６】
デバイス１０は、図示の例では不規則な形状（平面内）を呈する単体の基部２０を備え、基部２０は、二叉部分２３１と、広くなった部分２３２とを備える。
【０１３７】
実際には、広くなった部分２３２は、デバイス１０の第１の変形形態の広くなった部分に全体として類似している。
【０１３８】
基部２０は、有利には、基部２０の上面から直交して上昇する板状のセパレータ壁２５を備える。
【０１３９】
セパレータ壁２５は、基部２０の二叉部分２３１と広くなった部分２３２との間の（架空）接合線に対して平行であり、したがって、二叉部分の二叉区間と実質上位置合わせされる。実際には、２つのセパレータ壁２５は、同一平面であり、基部２０の二叉部分２３１の二叉区間に対して反対側に位置決めされる。
【０１４０】
各セパレータ壁２５は、敷設されるべきタイルＰの厚さより（はるかに）小さい高さを有する。
【０１４１】
デバイス１０は、使用の際、これらの図に文字Ａによって示す側面配置方向に沿って敷設されたとき、側面を接するべき少なくとも２つのタイルＰの対向側面の少なくとも一部分に接触することができるセパレータ部材３０をさらに備える。
【０１４２】
セパレータ部材３０は、たとえば方形の基部を有する平行六面体のスラブ体であり、薄いセパレータ壁を画定する。
【０１４３】
さらに、セパレータ部材３０は、敷設されるべきタイルＰの厚さより大きい高さを呈し、したがって、作業位置にあるセパレータ部材の頂部は、タイルＰが基部２０の上面２２上に載せられた後、タイルＰの可視表面によって画定されてレベリングされるべき平面に対して上に（十分に）突出する。
【０１４４】
この例のセパレータ部材３０は、実質上伸びないバンドであり、たとえばカーソルに対する基準ノッチまたは歯を備える。
【０１４５】
セパレータ部材３０は、有利には、二叉区間で基部２０に接合され、したがって、セパレータ部材３０が保管位置にあるとき、二叉部分２３１のフラップがセパレータ部材３０の基部部分を側方から取り囲む。
【０１４６】
セパレータ・ユニット３０は、保管位置から作業位置へのセパレータ部材３０の回転（場合によっては逆も同様）を可能にするヒンジを実質上画定する折り畳み線３４によって基部２０に接合される。
【０１４７】
折り畳み線３４は、実質上Ｖ字状の切れ目によって実現され、セパレータ部材３０と基部２０との間の接合線上で実現される。
【０１４８】
Ｖ字状の切れ目は、有利には、セパレータ部材３０の折り畳みを容易にするように、基部２０の下面に対して反対側を向いている凹面を呈する。
【０１４９】
実際には、Ｖ字状の切れ目は、セパレータ部材３０が保管位置にあるときは開いているのに対して、セパレータ部材３０が作業位置にあるときは、切れ目の側面が接触して、切れ目を実質上閉じる。
【０１５０】
Ｖ字状の切れ目の側面は、有利には、実質上直角に互いに傾斜する（たとえば、それぞれ基部２０の上面２２に対して４５°傾斜する）。
【０１５１】
さらに、セパレータ部材３０は、事前に弱くした線または断面を呈し、これらの線または断面は、使用の際、隔置されてレベリングされるべきタイルの可視表面の平面の下で、たとえば基部２０の上面と同じ平面以下（図示の例）に配置されてもよい。
【０１５２】
事前に弱くした線または断面により、タイルＰが敷設され、タイルＰを支持する接着剤が凝固した後、デバイス１０の突出部分を容易に取り除くことができる。
【０１５３】
所定の事前に弱くした線または断面は、好ましくは、折り畳み線３４に一致し、Ｖ字状の切れ目によって画定される。
【０１５４】
実際には、セパレータ部材３０および基部２０は、たとえば塑性材料の成形によって一体的に構成され、塑性材料は、Ｖ字状の切れ目によって画定された狭くなった断面によって互いに接合されており、以下により詳細に示すように、必要に応じて切り離すことができる。
【０１５５】
デバイス１０は、図１から図３２を参照して上述したデバイス１０の第１の変形形態に関して記載の阻止手段に全体として類似している作業位置にあるセパレータ部材３０の阻止手段を備える。
【０１５６】
この例で、阻止手段は、基部２０とセパレータ部材３０との間で少なくとも一方に固定された当接棚２５０を備え、当接棚２５０は、セパレータ部材３０と基部２０との間からの他方に堅固に束縛されたフック部材３１１に干渉することが可能である。
【０１５７】
当接棚２５０は、たとえば、制限された軸方向の長さだけセパレータ壁２５を長手方向に長くするようにセパレータ壁２５（または両方のセパレータ壁２５）に固定され、二叉区間の内部に突出するように分岐する。
【０１５８】
実際には、各当接棚２５０は、二叉区間を画定する広くなった部分２３２の自由縁部に平面で実質上位置合わせされる。
【０１５９】
当接棚２５０は、実質上剛性であり、またはわずかな弾性屈曲性を呈する。
【０１６０】
フック部材３１１は、たとえば、制限された長さだけフック部材３１１を側方へ長くするようにセパレータ部材３０に固定され、セパレータ部材３０から突出するように分岐する。
【０１６１】
各フック部材３１１は、実質上スラブ状であり、たとえば、実質上剛性であり、または特定の弾性屈曲性を呈する。
【０１６２】
図示の例では、各フック部材３１１は、可撓性の弾性屈曲板を備え、この板は、セパレータ部材３０が作業位置にあるとき、セパレータ部材が保管位置へ自然に戻るのを防止するように、当接棚２５０上、特に当接棚２５０の背面上に載せられてスナップ・フィットすることが可能である。
【０１６３】
この場合、当接棚２５０およびフック部材３１１は、折り畳み線３４を中心とする架空の円周に沿って実質上位置合わせされる。
【０１６４】
実際には、デバイス１０の第２の変形形態の機能は、第１の変形形態（図１から図３２）に関して記載した機能に全体として類似しており、詳細は第１の変形形態を参照されたい。
【０１６５】
図３５に示すデバイス１０の第３の変形形態は、たとえば、くさび（第１の変形形態に記載のものに類似）を備えるが先細り状の二叉端部を有するプレッサ部材によるタイルＰのレベリングに使用可能であることから、第２の変形形態（図３４）とは異なる。
【０１６６】
この場合、デバイス１０は、図３４の第２の変形形態に関して上述したものに類似の基部２０を備え、セパレータ部材３０は、第２の変形形態に関して記載のものと同様に、基部２０から分岐する（構造上の詳細は、第２の変形形態を参照されたい）。
【０１６７】
阻止手段はまた、上記のものに同一で上記と同様に機能する当接棚２５０およびフック部材３１１など、セパレータ部材３０と基部との間に構成される。
【０１６８】
図３５の第３の変形形態のセパレータ部材３０は、基部２０から分岐するバンドがより小さい幅を呈し、くさびの先細り状端部に位置する二叉に入ることから、図３４の第２の変形形態のセパレータ部材３０とは異なる。
【０１６９】
さらに、セパレータ部材３０は、セパレータ部材３０の自由端部に横材３１０を備える。
【０１７０】
実際には、セパレータ部材３０は、実質上Ｔ字状である。
【０１７１】
基部から分岐する横材３１０の下縁部３３（セパレータ部材３０の部分に対して反対側に位置する）は、セパレータ部材３０が作業位置にあるとき、レベリングされるべきタイルＰの可視表面の平面上に位置決めされるようになっている。
【０１７２】
実際には、セパレータ部材３０が作業位置にあるとき、各下縁部３３は、セパレータ壁２５と平面に実質上位置合わせされる。
【０１７３】
二叉のくさび部材は、横材３１０の下に挿入することができ、下面がタイルＰの可視表面上に載せられている状態で位置することができ、したがって、くさび部材の二叉の上面は、横材３１０の下縁部３３に接触し、たとえば歯が下縁部３３に係合し、したがって、くさび部材は、タイルＰに押し付けられて、くさび部材を基部２０の方へ押す。
【０１７４】
セパレータ部材３０は、有利には、横材３１０に位置決めされた補強部、たとえばより大きい断面（任意の形状）を有する区間を呈し、補強部は、使用の際、くさび部材が横材の下へ押し込まれたときにセパレータ部材の撓みを防止することが可能である。
【０１７５】
さらに、すべての詳細は、他の技術的に同等の部材に置き換えることができる。
【０１７６】
実際には、使用される材料、ならびに付随する形状および寸法は、以下の特許請求の範囲の保護範囲を逸脱することなく、要件に応じて任意のものとすることができる。
【図１】
2016523321.tif 000003
【図２．６】
2016523321.tif 000004
【図３】
2016523321.tif 000005
【図４】
2016523321.tif 000006
【図５】
2016523321.tif 000007
【図７】
2016523321.tif 000008
【図８．１１】
2016523321.tif 000009
【図９】
2016523321.tif 000010
【図１０】
2016523321.tif 000011
【図１２】
2016523321.tif 000012
【図１３】
2016523321.tif 000013
【図１４】
2016523321.tif 000014
【図１５】
2016523321.tif 000015
【図１６】
2016523321.tif 000016
【図１７】
2016523321.tif 000017
【図１８】
2016523321.tif 000018
【図１９】
2016523321.tif 000019
【図２０】
2016523321.tif 000020
【図２１】
2016523321.tif 000021
【図２２】
2016523321.tif 000022
【図２３】
2016523321.tif 000023
【図２４】
2016523321.tif 000024
【図２５】
2016523321.tif 000025
【図２６】
2016523321.tif 000026
【図２７】
2016523321.tif 000027
【図２８】
2016523321.tif 000028
【図２９】
2016523321.tif 000029
【図３０】
2016523321.tif 000030
【図３１】
2016523321.tif 000031
【図３２】
2016523321.tif 000032
【図３３ａ】
2016523321.tif 000033
【図３３ｂ】
2016523321.tif 000034
【図３３ｃ】
2016523321.tif 000035
【図３４】
2016523321.tif 000036
【図３５】
2016523321.tif 000037
【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
表面を被覆するためのスラブ製品（Ｐ）を敷設するレベリング・スペーサ・デバイス（１０）は、側面配置方向（Ａ）に対して側面を接する少なくとも２つの隣接スラブ製品（Ｐ）の敷設表面の裏側に位置決め可能な基部（２０）と、該基部（２０）に接合されるセパレータ部材（３０）とを備え、該セパレータ部材（３０）が、少なくとも該基部（２０）から突出しており、前記２つのスラブ製品（Ｐ）の対向側面に接触することが可能であり、前記基部（２０）に対して実質上平行に位置する保管位置と、前記基部（２０）に実質上直交して突出する作業位置との間を可動であるデバイス（１０）であって、
前記作業位置にある前記セパレータ部材（３０）の阻止手段（２５０，３１１）を備え、
該阻止手段が、前記基部（２０）および前記セパレータ部材（３０）の少なくとも一方に固定された当接棚（２５０）を備え、
該当接棚（２５０）が、前記セパレータ部材（３０）が前記作業位置にあるとき、前記セパレータ部材（３０）が前記保管位置へ自然に戻るのを防止するように、少なくとも前記セパレータ部材（３０）および前記基部（２０）の他方に堅固に束縛されたフック部材（３１１）に干渉することが可能であるデバイス（１０）。
【請求項２】
前記フック部材（３１１）が、前記セパレータ部材（３０）および前記基部（２０）の少なくとも一方からカンチレバー状に突出する可撓性の弾性屈曲板を備え、
該可撓性の弾性屈曲板が、前記セパレータ部材（３０）が作業位置にあるとき、前記セパレータ部材（３０）が前記保管位置へ自然に戻るのを防止するように、前記当接棚（２５０）上に載せられることによってスナップ・フィットすることが可能である請求項１に記載のデバイス（１０）。
【請求項３】
前記フック部材（３１１）および前記当接棚（２５０）は、機械的干渉によって接合することが可能であり、前記セパレータ部材（３０）が前記作業位置にあるとき、前記セパレータ部材が前記保管位置へ自然に戻るのを相互摩擦によって防止するように、互いに実質上側面を接する請求項１に記載のデバイス（１０）。
【請求項４】
前記セパレータ部材（３０）は、ヒンジを画定することが実質上可能な折り畳み線（３４）によって前記基部（２０）に接合される請求項１から請求項３のいずれかに記載のデバイス（１０）。
【請求項５】
前記折り畳み線（３４０）は、前記セパレータ部材（３０）と前記基部（２０）との間の接合点に実現される実質上Ｖ字状の切れ目によって構成される請求項４に記載のデバイス（１０）。
【請求項６】
前記セパレータ部材（３０）に付随可能なプレッサ手段（４０）を備え、
該プレッサ手段（４０）は、前記スラブ製品（Ｐ）の可視表面を前記基部（２０）の方へ押して前記製品（Ｐ）をレベリングすることが可能である請求項１から請求項５のいずれかに記載のデバイス（１０）。
【請求項７】
前記セパレータ部材（３０）が前記基部（２０）に固定されたスラブ体を備え、
該スラブ体が貫通窓（３２）を備え、
該貫通窓（３２）の上縁部（３３）が、前記動作作業位置にあるとき、前記スラブ製品（Ｐ）の前記可視表面の平面の上に配置されるようになっており、
前記プレッサ手段が、前記窓（３２）の内部に挿入可能なくさび部材（４０）を備え、
該くさび部材（４０）が、前記上縁部（３４）と協働して前記スラブ製品を前記基部（２０）の方へ押し込むように、前記スラブ製品（Ｐ）の前記可視表面上で載せられたまま摺動可能である請求項６に記載のデバイス（１０）。
【請求項８】
前記セパレータ部材（３０）が、事前に弱くした破断線（３５）を有する線または断面を呈し、
該破断線（３５）が、使用の際、隔置されてレベリングされるべき前記スラブ製品（Ｐ）の前記可視表面の平面より下に配置することができる請求項１から請求項７のいずれかに記載のデバイス（１０）。
【請求項９】
前記事前に弱くした線または断面（３５）が、前記折り畳み線（３４０）に実質上一致する請求項４または請求項８に記載のデバイス（１０）。
【請求項１０】
前記事前に弱くした線または断面（３５）と前記折り畳み線（３４０）との間からの少なくとも一方が、前記基部（２０）の厚さ内に含まれる高さに配置される請求項４または請求項８に記載のデバイス（１０）。
【請求項１１】
前記セパレータ部材（３０）に対して角度をなして前記基部（２０）から突出するコーナ・スペーサ（５０）を備え、
該コーナ・スペーサ（５０）が、前記側面配置方向（Ａ）に直交する方向（Ｄ）に沿って前記スラブ製品（Ｐ）を位置合わせするように、前記スラブ製品（Ｐ）の前記対向側面に直交する側面に接触することが可能である請求項１から請求項１０のいずれかに記載のデバイス（１０）。
【請求項１２】
前記コーナ・スペーサ（５０）は、該コーナ・スペーサ（５０）が前記基部（２０）の上に突出する上昇位置と、前記側面が前記スラブ製品（Ｐ）に直交する非干渉位置との間を可動である請求項１１に記載のデバイス（１０）。
【請求項１３】
前記コーナ・スペーサ（５０）が前記側面配置方向（Ａ）に沿って前記窓（３２）と位置合わせされる請求項１１に記載のデバイス（１０）。
【請求項１４】
前記基部（２０）が前記基部（２０）の厚さに沿って可変の断面を呈する少なくとも貫通孔（２６）を備え、
該貫通孔（２６）が、前記スラブ製品（Ｐ）の前記敷設表面に接触するようになっている前記基部（２０）の表面から前記基部の反対側の表面の方へ縮小する請求項１から請求項１３のいずれかに記載のデバイス（１０）。
【手続補正２】
【補正対象書類名】明細書
【補正対象項目名】０００３
【補正方法】変更
【補正の内容】
【０００３】
たとえば特許文献２に示されている周知のタイプのレベリング・スペーサ・デバイスは、概して、少なくとも２つの隣接タイルの敷設表面の下に位置決め可能な基部を備え、この基部から、少なくともセパレータ部材が突出し、セパレータ部材は、セパレータ部材の横側面によって、敷設表面上に横に並んで敷設されるべき２つのタイルの対向側面に接触することが可能である。
【国際調査報告】
2016523321.tif 000038
2016523321.tif 000039